(57)【要約】【課題】建築用仕上げ材として、強度や加工性、耐候性などの基本的な機能に優れているとともに、外観意匠性が良好で、しかも、製造し易いものを提供する。【解決手段】建築物の外面に露出する個所に施工される仕上げ材１０であって、樹脂からなり、外面に露出しない部分を構成する基礎部１２と、つや消し剤２〜２０質量％を含有するＭＭＡ樹脂からなり、外面に露出する部分に配置される表面部１４とを有し、基礎部１２と表面部１４とが、同時押出成形により一体形成されている。【選択図】　図１
2004068451.tif 000002
【特許請求の範囲】
【請求項１】
建築物の外面に露出する個所に施工される仕上げ材であって、
樹脂からなり、外面に露出しない部分を構成する基礎部と、
つや消し剤２〜２０質量％を含有するＭＭＡ樹脂からなり、外面に露出する部分に配置される表面部とを有し、
前記基礎部と表面部とが、同時押出成形により一体形成されている
建築仕上げ材。
【請求項２】
前記つや消し剤が、アクリル系樹脂、シリカ、ガラスビーズ、タルク、マイカ、クレー、炭酸カルシウムからなる群から選ばれる何れか１種で粒径０．５〜３０μｍの粒子であり、
前記表面部の厚みが、０．１〜０．５ｍｍである
請求項１に記載の建築仕上げ材。
【請求項３】
前記ＭＭＡ樹脂が、着色ＭＭＡ樹脂である
請求項１または２に記載の建築仕上げ材。
【請求項４】
前記ＭＭＡ樹脂が、透明ＭＭＡ樹脂である
請求項１または２に記載の建築仕上げ材。
【請求項５】
前記基礎部の樹脂が、ポリエチレン、ポリプロピレン、ＡＳ樹脂、ＡＢＳ樹脂、ＡＥＳ樹脂からなる群から選ばれる何れか１種の樹脂を含む
請求項１〜４の何れかに記載の建築仕上げ材。
【請求項６】
前記基礎部の樹脂が、木材粉を含有してなる
請求項１〜５の何れかに記載の建築仕上げ材。
【請求項７】
建築物の外壁で、外装材の端面間に構成される目地に施工される目地仕上げ材であって、
前記目地の開口側に配置される水平片と、水平片から目地の内部側に伸びる支持片とを有する前記基礎部と、
前記基礎部の水平片上面を覆う前記着色表面部とを有する
請求項１〜６の何れかに記載の建築仕上げ材。
【発明の詳細な説明】
【０００１】
【発明の属する技術分野】
本発明は、建築仕上げ材に関し、詳しくは、建築物の内外装面において、外面に露出する個所に配置されて、種々の機能を果たすと同時に建築物の仕上げ外観に大きな影響を与える建築仕上げ材を対象にしている。
【０００２】
【従来の技術】
住宅などの建築施工においては、壁面や床面などの広い面積部分を構成する建材に加えて、建材施工面の端部や継目個所など、比較的に小さな部分に施工される建築仕上げ材が使用される。
例えば、建築物の外壁で、矩形状のセメント板などからなる外装板を並べて施工する場合、外装板の端面同士の間に隙間をあけて、目地が構成されることが多い。この目地は、外装板の不陸を目立たなくしたり、外力や熱変形で外装板同士の間に過大な応力が発生するのを防いだりするのに有効であるとともに、外壁の意匠性を高めることもできるとされている。目地には、シーラント剤などを充填して水密性を高めて、その上に細幅の形材からなる目地仕上げ材が挿入されることがある。
【０００３】
目地仕上げ材には、棒状の木材や、ゴムや合成樹脂の押出成形品などが使用される。目地仕上げ材は、外装材の継目個所における水密機能に加えて、外装材との対比による外観意匠上の効果も期待される。
建築仕上げ材の別の例として、窓などの開口部に施工されるサッシの外枠がある。ガラス障子を嵌め込むレール部分などは、アルミ材などの金属材料を露出させたままにしておくが、壁面の一部を構成して室内または屋外に露出する外枠部分は、金属面が露出したままでは外観意匠性を損なうので、合成樹脂や木質材料からなる外枠材で覆われることがある。
【０００４】
このような建築仕上げ材の材料として、木質材料に代えて、合成樹脂材料を使用することが検討されている。合成樹脂材料は、押出成形などの製造方法を適用することで、寸法精度が高く複雑な形状を備えた建築仕上げ材を生産性良く製造することができるとされている。
合成樹脂製の建築仕上げ材の場合、樹脂材料に着色剤を配合しておくことで、木質材料では得がたい色彩感に富んだ建築仕上げ材が製造できる。また、樹脂材料に木粉を配合しておくことで、釘打可能であるなど、木材に近い性状を有する建材を得ることもできる。
【０００５】
【発明が解決しようとする課題】
前記した合成樹脂製の建築仕上げ材は、木質材料からなる建築仕上げ材に比べて、表面質感に劣るという問題がある。
合成樹脂の成形品は、表面が平滑で光の反射性が強いため、木質材料のような落ち着いた質感が得られず、高級感に乏しい仕上がりになってしまう。
合成樹脂に木粉を配合しても、本来の木質材料のような質感にはならない。木粉配合樹脂に着色剤を加えると、ぼやけたような色になり、却って意匠性を損なうことになる。木粉配合樹脂は、比較的に表面が柔らかくて傷つき易く、汚れが付くと取れ難いという問題もある。
【０００６】
本発明の課題は、前記した建築仕上げ材として、強度や加工性、耐候性などの基本的な機能に優れているとともに、外観意匠性が良好で、しかも、製造し易いものを提供することである。
【０００７】
【課題を解決するための手段】
本発明にかかる建築仕上げ材は、建築物の外面に露出する個所に施工される仕上げ材であって、樹脂からなり、外面に露出しない部分を構成する基礎部と、つや消し剤２〜２０質量％を含有するＭＭＡ樹脂からなり、外面に露出する部分に配置される表面部とを有し、前記基礎部と表面部とが、同時押出成形により一体形成されている。
〔基礎部〕
建築仕上げ材のうち、外面に露出しない部分を構成する。建築物の外観性や表面特性に支障が無ければ、一部が外面に露出していても構わない。
【０００８】
基礎部は、樹脂からなる。樹脂としては、建材などに利用されている通常の成形用樹脂材料が使用できる。表面部のＭＭＡ樹脂に比べて、強靭で安価な樹脂材料が好ましい。
樹脂の具体例として、ポリエチレン、ポリプロピレン、ＡＳ樹脂、ＡＢＳ樹脂、ＡＥＳ樹脂などが挙げられる。これらの樹脂を複数種類混合したものでもよい。
樹脂として、木材含有樹脂が使用できる。木材含有樹脂は、通常の成形用樹脂に木材を含有したものである。
【０００９】
樹脂に含有させる木材は、通常の建材に使用されているような木材を、粉体や繊維材など、樹脂に混合して成形し易い形態にしたものが使用される。木材粉の粒径として、２０〜３００μｍの範囲に設定できる。木材の含有量は、木材含有樹脂全体の３〜６０質量％の範囲に設定できる。
基礎部は、表面部に比べて強靭性に優れ、加工性もよい。特に木材含有樹脂は、釘打ちや削り加工、穴あけ加工も容易である。したがって、建築仕上げ材のうち、取付構造部分や他部材との接触部分などに配置しておくことができる。但し、表面の硬度や質感には劣るので、外観性に影響を与える個所には露出しないようにしておく。
【００１０】
〔表面部〕
建築仕上げ材のうち、外面に露出する部分に配置される。
表面部は、つや消し剤を含有するＭＭＡ樹脂からなる。
ＭＭＡ樹脂は、メチルメタクリレート樹脂とも呼ばれ、メチルメタクリレート（ＭＭＡ）を主な構成成分としている。必要に応じて、ＭＭＡ以外の樹脂成分や化合物成分が配合されていてもよい。具体的な配合は、通常の成形用ＭＭＡ樹脂と同様でよい。
ＭＭＡ樹脂は、通常は透明である。顔料や染料などの着色剤を配合することで、着色ＭＭＡ樹脂が得られる。着色剤として、一般的なＭＭＡ樹脂用の着色剤が使用される。着色剤の配合量も、通常の範囲でよい。
【００１１】
つや消し剤は、ＭＭＡ樹脂の成形品を製造したときの表面特性を変える。具体的には、表面が鏡面では無くなり、微細な凹凸を有する、つや消し面にできる。つや消し剤の具体例として、アクリル系樹脂、シリカ、ガラスビーズ、タルク、マイカ、クレー、炭酸カルシウムなどが挙げられる。シリカは、シリカゾルの形態であっても良い。
つや消し剤の粒径は、０．５〜３０μｍの範囲に設定できる。好ましくは、１〜２０μｍである。
つや消し剤の配合量は、使用する材料や目的とする機能によっても異なるが、通常は、ＭＭＡ樹脂の全体量に対して、２〜２０質量％を含有させることができる。好ましくは、５〜１５質量％である。つや消し剤が少な過ぎると、目的の機能が発揮できない。つや消し剤が多過ぎると、表面が粉をふいたような好ましくない質感になったり、成形性を損なったりする弊害がある。
【００１２】
〔製造方法〕
前記基礎部と表面部とを、同時押出成形により一体形成して、建築仕上げ材を得る。
基本的には、通常の合成樹脂における同時押出成形技術が適用される。
具体的には、基礎部と表面部とのそれぞれの樹脂材料を、別々に溶融させ、別々の押出口金から同時に押し出すことで、それぞれの溶融樹脂が冷却しながら互いの接触面で一体的に接合され、基礎部と表面部とが一体化された建築仕上げ材が得られる。
【００１３】
基礎部と表面部との間には接着剤などの余分な材料層が存在しないので、両者の一体性は非常に高いものとなる。屋外環境に長期間晒されたり、外力が加わっても、基礎部と表面部とが剥がれ難い。
押出成形に使用する押出口金の形状によって、基礎部および表面部の割合や配置形状が変更できる。
〔全体構造〕
建築仕上げ材の全体構造は、基本的には、特定の断面形状が長さ方向に連続する棒状あるいは柱状の形材である。押出成形時における押出口金の形状によって、断面形状が変わる。
【００１４】
建築仕上げ材の用途や要求性能によって、基礎部と着色表面部との割合や配置形状が変更される。建築仕上げ材の基本的な構造は基礎部で構成し、外観性を要求されるところだけを着色表面部にするのが、機能性、外観性を良好にし、製造コストを下げるために好ましい。
表面部の厚みは、耐候性や耐傷付き防止性などに問題がなければ、出来るだけ薄いほうが好ましく、通常は０．１〜０．５ｍｍに設定できる。好ましくは、０．２〜０．３ｍｍである。薄過ぎると、施工後に表面部に傷が付いたり孔があいたりして、基礎部が露出してしまうことがある。
【００１５】
表面部の表面は、施工後の外観意匠性を考慮して、平坦面にしたり、湾曲面にしたり、模様のある凹凸面にしたりすることができる。
表面部は、基礎部の片面側など一部のみに配置されていてもよいし、基礎部の両面など複数個所に配置されていてもよい。基礎部の外周全体が着色表面部で覆われていてもよい。
具体的には、板状の基礎部に対して、片面あるいは両面に表面部を配置することができる。筒状または柱状の基礎部に対して、外周面全体が表面部で覆われていることができる。
【００１６】
表面部と基礎部との境界部分は、単純な平面であってもよいし、湾曲面や凹凸面であってもよい。境界面に小さな凹凸を設けることで、両者の接合力あるいは一体性を増強できる。
建築仕上げ材は、押出成形されたままの状態で使用することもできるし、押出成形品に、各種の切削加工や孔明け加工などの機械加工を施したり、別の部材と接合した組立品を構成したりすることもできる。基礎部については、必要に応じて任意の加工を加えることができる。表面部に対しても、基礎部が露出されない範囲で、一部を削ったり模様を加工したりすることができる。
【００１７】
〔用途〕
通常の建築仕上げ材が使用されていた用途に適用できる。
具体的には、目地仕上げ材、窓や扉などの開口部用サッシの外枠、バルコニーの笠木、バルコニー面材、ティンバーなどが挙げられる。
〔目地仕上げ材〕
目地仕上げ材として、以下の構成を備えたものがある。
建築物の外壁で、外装材同士の間に構成される目地に施工される目地仕上げ材であって、前記目地の開口側に配置される水平片と、水平片から目地の内部側に伸びる支持片とを有する前記基礎部と、前記基礎部の水平片上面を覆う前記表面部とを有する。
【００１８】
目地仕上げ材は、施工時に目地の開口部に配置される上面だけが外部に露出するので、この部分だけを表面部で構成しておけばよい。具体的には、水平片の上面側だけが表面部となる。
表面部以外の部分は基礎部になる。基礎部の構造は、目地仕上げ材の配置構造や要求機能に合わせて変更できる。例えば、支持片は、単純な板片状のもののほか、目地のシーラント剤への固定に役立つクサビ状や錨状、ひれ状などをなすものがある。水平片の中央に１本の支持片が配置されるもののほか、複数本の支持片が配置されるものもある。
【００１９】
【発明の実施の形態】
〔目地仕上げ材〕
図１に示す目地仕上げ材１０は、全体がＴ字形断面をなす形棒状をなしている。Ｔ字形の下部に基礎部１２、上面側に着色表面部１４を有する。
基礎部１２はＡＥＳ樹脂からなり、概略Ｔ字形をなし、水平片１６と、水平片１６の中央から直交方向に延びる支持片１８とで構成されている。
着色表面部１４は、シリカ系つや消し剤１０質量％を含むアクリル樹脂によってブラウン、グレー、ベージュなどに着色されてなるＭＭＡ樹脂からなり、基礎部１２の水平片１６の上面を層状に覆っている。着色表面部１４の上面は中央から両端へと低くなる緩やかな湾曲状をなしている。着色表面部１４の厚みは０．２ｍｍである。
【００２０】
基礎部１２と着色表面部１４とは、同時押出成形により一体形成されている。したがって、基礎部１２の着色表面部１４との境界には接着剤は存在しない。
〔目地構造〕
図２は、目地仕上げ材１０を用いて施工された目地の構造を示している。
建築物の外壁において、合板などからなる外装下地材２０の表面に、セメント板などからなる外装材３０が並べて施工される。外装材３０の端面間には、目地溝３２が構成される。
目地溝３２には、シーラント剤４０が充填されて、目地溝３２を塞ぎ水密性を確保している。
【００２１】
目地溝３２に充填されたシーラント剤４０の上に、目地仕上げ材１０が装着される。目地仕上げ材１０は、着色表面部１４を上に向け、基礎部１２の支持片１８を、未硬化状態のシーラント剤４０に差し込むようにする。基礎部１２の水平片１６の裏面がシーラント剤４０の表面に当接する。
基礎部１２がシーラント剤４０に埋め込まれて接合されていることによって、目地仕上げ剤１０は強固に固定された状態になる。また、Ｔ字形をなし材質的にも強靭な基礎部１２を有していることで、目地仕上げ材１０の形状維持性が高まり、細長い目地溝３２に対して目地仕上げ材１０を正確な位置および姿勢で確実に装着することができる。目地仕上げ材１０は、ある程度の弾力的な変形は可能であるとともに、過剰に捩れたり撓んだりし難いので、目地仕上げ材１０の装着作業が容易である。
【００２２】
目地溝３２を外面側からみると、目地溝３２の開口が、目地仕上げ材１０の着色表面部１４で塞がれた状態になる。基礎部１２は完全に目地溝３２の内部に隠れていて外部には露出しない。外観的には、縦横に並べられた外装材３０と、外装材３０の間を格子帯状に延びる目地仕上げ材１０の着色表面部１４との対比パターンによる幾何学的な意匠が現出する。
目地仕上げ材１０は、シーラント剤４０に外力が加わって傷付いたり、シーラント剤４０の表面が汚れたりするのを防ぐことができる。雨や汚れがシーラント剤４０を劣化させることも防ぐ。
【００２３】
着色表面部１４を構成するＭＭＡ樹脂は、傷つき難く汚れが固着し難い特性を有しており、耐候性にも優れているので、長期間にわたって、良好な表面状態を維持することができる。
但し、通常の、つや消し剤を含有しないＭＭＡ樹脂からなる成形品は、表面が平滑で反射性の高いガラス様の質感を呈する。着色ＭＭＡ樹脂の場合、鮮やかで輝くような色彩感を呈する。このような樹脂からなる着色表面部１４の表面質感は、セメント板などからなり、つや消し状を呈する外装材３０の表面質感との違いが大きく、外壁全体としては、アンバランスで美的感覚に劣るものとなり易い。
【００２４】
また、傷つき難いＭＭＡ樹脂であっても、風で砂粒が吹き付けられるなどの屋外環境に晒されていれば、細かな傷が付くことは避け難い。平滑なガラス様の表面に傷が付くと却って目立つことになり、外観性を損なうことになる。
本発明では、所定量のつや消し剤を含有するＭＭＡ樹脂を使用しているため、着色表面部１４の表面質感が、過剰な反射性を示さず、落ち着きのある柔らかな質感になる。木質材料からなる目地仕上げ材に近い木質調の優れた外観を演出することができる。外装材３０との表面質感の違和感も少なくなる。着色表面部１４の表面が汚れたり細かな傷が付いたりしても、それほど目立たず、経時的な表面質感の変化も少ない。
【００２５】
しかも、つや消し剤が配合されたＭＭＡ樹脂からなる着色表面部１４は、光の散乱効果や遮光効果があるため、着色表面部１４と基礎部１２との界面個所における接合が、外光に含まれる紫外線によって劣化することが防止できる。その結果、着色表面部１４と基礎部１２との密着耐久性を大幅に向上させることができる。
特に、表面部として、前記した着色表面部１４ではなく、透明ＭＭＡ樹脂による透明表面部を採用した場合には、つや消し剤の配合による、光劣化の防止効果が顕著に発揮される。
【００２６】
その結果、長期間にわたって、建築物の外壁全体に、良好な外観意匠性を発揮させる目地仕上げ材となる。
〔手すり材〕
図３に示す実施形態は、本発明を手すり材５０に適用した場合である。
手すり材５０は、全体が中空円柱状をなし、内周側の基礎部５２と外周表面側の着色表面部５４とで構成されている。
このような手すり材５０は、玄関や通路の壁に取付金具を介して取り付けられたり、テラスやバルコニーの柵や塀を構成する棒材として利用されたりする。
【００２７】
基礎部５２の高い強靭性により、安全性の高い手すりを構成できる。着色表面部５４は、落ち着いた色彩感で、周囲の壁や構造物と違和感の少ない外観を呈することができるとともに、表面の手触りがよく、濡れたときでも滑り難いという利点がある。
〔ボード材〕
図４に示す実施形態は、本発明をボード材６０に適用した場合である。
ボード材６０は、全体が板状をなし、厚み方向の中央部分に基礎部６２、基礎部６２の両面に着色表面部６４を有している。
【００２８】
このようなボード材５０は、両面が露出する仕切り壁などに利用される。
基礎部５２による高い強靭性とともに、外面に露出する着色表面部５４で、美麗な表面質感を発現できる。接触感も良好である。
【００２９】
【発明の効果】
本発明にかかる建築仕上げ材は、同時押出成形により一体形成された基礎部と表面部とで構成され、基礎部によって基本的な構造強度や耐変形性などを発揮させるとともに、所定量のつや消し剤を含有するＭＭＡ樹脂からなる表面部によって、表面質感を柔らかく落ち着いたものにすることができる。
その結果、目地仕上げ材などとして、建築物の施工に使用したときに、耐久性および耐候性のある良好な外観意匠を長期間にわたって現出させることができる。
【図面の簡単な説明】
【図１】本発明の実施形態を表す目地仕上げ材の斜視断面図
【図２】施工状態の断面図
【図３】別の実施形態を示す斜視断面図
【図４】別の実施形態を示す斜視断面図
【符号の説明】
１０　　目地仕上げ材（建築仕上げ材）
１２　　基礎部
１４　　着色表面部
１６　　水平片
１８　　支持片
２０　　外装下地材
３０　　外装材
３２　　目地
４０　　シーラント剤
５０、６０　　建築仕上げ材
【図１】
2004068451.tif 000003
【図２】
2004068451.tif 000004
【図３】
2004068451.tif 000005
【図４】
2004068451.tif 000006